(57)【要約】本発明は、背面電極、光起電（ＰＶ）層、及び随意的な前面電極を含む太陽電池ユニットに関するものであり、該太陽電池ユニットの表面の一部はエネルギーを生産せず、ここで、該太陽電池のユニットの非エネルギー生産部分の少なくとも一部は着色物質を施与されている一方で、該太陽電池ユニットのエネルギー生産部分の少なくとも一部は着色物質がなく、該着色物質の色は太陽電池ユニットの色とは異なる。もし所望であれば、太陽電池ユニットの非エネルギー生産部分の一部はカモフラージュ材料を施与されていてもよい。本発明は太陽電池ユニットの色の印象を選択すること及び／又は太陽電池ユニットを装飾することを可能にする一方で、太陽電池ユニットの電気出力は影響を受けない。【選択図】なし【特許請求の範囲】
【請求項１】
背面電極、光起電（ＰＶ）層、及び随意的な前面電極を含む太陽電池ユニットであって、太陽電池ユニットの表面の一部はエネルギーを生産しない太陽電池ユニットにおいて、太陽電池のユニットの非エネルギー生産部分の少なくとも一部は着色物質を施与されており、太陽電池ユニットのエネルギー生産部分の少なくとも一部は着色物質がなく、着色物質の色は太陽電池ユニットの色とは異なることを特徴とする太陽電池ユニット。
【請求項２】
太陽電池ユニットの非エネルギー生産部分の少なくとも２０％、好適には少なくとも５０％、さらに好適には少なくとも８０％が着色物質を施与されている請求項１に記載の太陽電池ユニット。
【請求項３】
太陽電池ユニットの非エネルギー生産部分の一部が着色物質を施与されており、太陽電池ユニットの非エネルギー生産部分の一部がカモフラージュ材料を施与されており、カモフラージュ材料の色は太陽電池ユニットのエネルギー生産部分の色に適合されている請求項１に記載の太陽電池ユニット。
【請求項４】
太陽電池ユニットの非エネルギー生産部分の１０〜９０％が着色物質を施与され、太陽電池ユニットの非エネルギー生産部分の１０〜９０％がカモフラージュ材料を施与されている請求項３に記載の太陽電池ユニット。
【請求項５】
太陽電池ユニットの非エネルギー生産部分の実質的にすべてが着色物質又はカモフラージュ材料のいずれかを施与されている請求項４に記載の太陽電池ユニット。
【請求項６】
着色物質を施与されている太陽電池ユニットの部分と太陽電池ユニットのエネルギー生産部分の間のｄＥａｂが少なくとも約１０、好適には少なくとも約１２、さらに好適には約２０と１００の間であるように着色物質の色が選択され、もし存在するならば、カモフラージュ材料の色は、カモフラージュ材料を施与されている太陽電池ユニットの部分と太陽電池ユニットのエネルギー生産部分の間のｄＥａｂが約５より低く、好適には約２より低く、さらに好適には約０．３より低くなるように選択されている、請求項１〜５のいずれかに１項に記載の太陽電池ユニット。
【請求項７】
太陽電池ユニットのエネルギー生産部分が本質的に着色物質なしである、請求項１〜６のいずれか１項に記載の太陽電池ユニット。
【請求項８】
太陽電池ユニットがグリッドを装備されていて、グリッドの少なくとも一部が着色物質を施与されている、請求項１〜７のいずれか１項に記載の太陽電池ユニット。
【請求項９】
太陽電池ユニットが、モノリシックな直列接続を有する個々の電池を含む薄膜太陽電池ユニットであり、直列接続の結果生ずる太陽電池ユニットの非エネルギー生産部分の少なくとも一部が着色物質を施与されている、請求項１〜８のいずれか１項に記載の太陽電池ユニット。
【請求項１０】
着色物質が２色以上を有する請求項１〜９のいずれか１項に記載の太陽電池ユニット。
【請求項１１】
背面電極、光起電（ＰＶ）層、及び随意的な前面電極を含み、その表面の一部はエネルギーを全く生産しない太陽電池が、着色物質及び随意的にカモフラージュ材料を太陽電池ユニットの非エネルギー生産部分の少なくとも一部に施与されており、太陽電池ユニットのエネルギー生産部分の少なくとも一部は着色物質なしである請求項１〜１０のいずれか１項に記載の着色された太陽電池を製造する方法。
【請求項１２】
着色物質及び／又は、妥当する場合には、カモフラージュ材料が印刷技術により施与される請求項１０に記載の太陽電池ユニットを製造する方法。
【請求項１３】
着色物質及び／又は、妥当する場合には、カモフラージュ材料の施与がロールトゥロール工程により実行される請求項１０に記載の方法。
【請求項１４】
着色物質及び／又は、妥当する場合には、カモフラージュ材料の施与が太陽電池ユニットの製造に統合される請求項１０〜１２のいずれか１項に記載の方法。
【発明の詳細な説明】
【０００１】
【発明の属する技術分野】
本発明は着色された太陽電池ユニットおよびそれを製造する方法に関する。
【０００２】
【従来の技術】
太陽電池は光を電気に変換することが可能にし、例えば化石燃料又は原子力からの発電への興味深い代替物を提供する。
【０００３】
太陽電池ユニットは、通例、例えば半導体物質から構成される１つ以上の光起電（ＰＶ）層を含み、これは背面電極と接している（ユニットの背面において）。薄膜太陽電池、例えばアモルファスシリコンの電池の場合、電気的機能性層の積層体の厚さは約２０μｍより薄く、好適には１０μｍより薄く、より好適には５μｍより薄く、太陽電池ユニットの前面（すなわち入射光の側）は前面電極を装備されている。前面電極は透明で、入射光が半導体物質まで到達することを可能にし、そこで入射光は電気エネルギーに変換される。通常結晶シリコン（随意的にＧａＡｓ上の）に基づくウエハーベースの太陽電池に場合においては、透明な前面電極の存在は一般的には必要ではない。なぜならウエハーベースの材料は薄層材料より高い伝導性を有するからである。
【０００４】
太陽電池ユニットの自然な色は、光起電層の性質、もしあるとすれば前面電極の性質、もしあるとすれば反射防止層の性質、及び、僅かな程度に、背面電極の性質により決定され、一般的には青黒又は赤褐色であろう。
【０００５】
太陽電池ユニットが建物に取り込まれるとき、太陽電池ユニットを建物の既存の建築的デザインによりよく統合できるようにするため、又は一方で、審美上の目的のために太陽電池ユニットの色又はデザインを利用することができるようにするために、太陽電池ユニットにより発生させられる色の印象を選択できること又は太陽電池ユニット上に装飾を施すことができることがしばしば所望される。
【０００６】
着色された太陽電池ユニットを提供する種々の方法は先行技術において公知である。
【０００７】
色は、太陽電池ユニットに透明な着色物質のトップ層を施与することにより得ることが出来る。着色トップ層を施与された太陽電池システムは例えば、米国特許第５，８０７，４４０号、米国特許第６，０４９，０３５号及び日本国特開平０２−９４５７５号に記載されている。しかし透明な着色トップ層を用いることは、その色が非常に深くはなれないという欠点を有する。なぜなら、その場合にはトップ層の透明性は、太陽電池ユニット内の入射光の量が、そしてその結果出力が容認できないほどの低レベルに落ちるような程度にまで減少させられるからである。さらに、非常に深くはない色のトップ層の利用でさえ、太陽電池ユニットの出力の損失に繋がるだろう。
【０００８】
所望の色が干渉により得られるような１つ以上の層の厚さを選択することもまた可能である。言うまでもなく、太陽電池ユニットの効果的な電気出力は、光学的干渉が利用されるとき減少するであろう。その上、異なる層の厚さを通して色を発生させることの欠点は、所望される色を得るために必要な厚さは必ずしもエネルギーを生産するための最高の可能な厚さに類似してはいないことかもしれない。
【０００９】
【発明が解決しようとする課題】
従って、一方で太陽電池ユニットの色の印象を選択し、及び／又は太陽電池ユニットを装飾することを可能にしながら、他方で、太陽電池ユニットの電気出力が影響されない太陽電池ユニットをもつことが所望される。本発明はそのような太陽電池ユニットを提供することを目的としている。
【００１０】
【課題を解決するための手段】
本発明は、太陽電池ユニットの表面のある部分はエネルギーを全く生産しないという事実を利用している。太陽電池ユニットの非エネルギー生産部分の少なくとも一部に着色物質を与え、該太陽電池ユニットのエネルギー生産部分の少なくとも一部を着色物質なしにしておくことにより、該太陽電池ユニットは色又はデザインを施される一方で、該太陽電池ユニットの出力は影響されない。
【００１１】
本発明の意図は、太陽電池ユニットの従来の青黒又は赤褐色の色の印象を、種々の色の印象に変えることである。従って太陽電池ユニットを装飾するのに使用される色は、太陽電池ユニット自身の色とは異なっているべきである。適切な色の例は白、黄、橙、桃、赤、淡青色、緑、紫色、等である。明らかに、色の組合せもまた使用されてもよい。
【００１２】
本発明はこのように、背面電極、光起電（ＰＶ）層、及び、随意的な前面電極を含む太陽電池ユニットであって、該太陽電池ユニットの表面の一部はエネルギーを全く生産しない太陽電池ユニットにおいて、該太陽電池ユニットの非エネルギー生産部分の少なくとも一部の上に着色物質が存在する一方で、該太陽電池ユニットのエネルギー生産部分の少なくとも一部は着色物質がなく、着色物質の色は、太陽電池ユニットの光生産部分の色とは異なるように選択されることを特徴としている。
【００１３】
従来技術において太陽電池ユニットの非エネルギー生産部分にコーティングを施すことが公知であることを述べておく。これは欧州特許出願第０９８６１０９号、特開平０８−３１２０８９号、及び特開平０８−２４３３１０号に記載されている。しかし、これらの引用文献においてコーティングの色は、太陽電池ユニットの非エネルギー生産部分をカモフラージュするために太陽電池ユニットのエネルギー生産部分の色に合わせるように選択されている。これは本発明の問題とは異なる問題に関するものであり、本発明においては目的は、出力を減ずることなく太陽電池ユニットによりもたらされる色の印象を変えること又は太陽電池に装飾を施すことである。
【００１４】
太陽電池ユニットの光生産部分と着色物質を施与された太陽電池ユニットの部分の色の違いはｄＥａｂにより表され、以下のように定義される：
ｄＥａｂ＝（ｄＬ２　＋　ｄａ２　＋ ｄｂ２）１／２
ここでｄＬ、ｄａ、及びｄｂは、太陽電池ユニットの着色物質を施与された部分と光生産部分の、それぞれ明るさ、青み、及び、赤みの差である。Ｌ、ａ、及びｂの値は、Ｄ６５光源を用いるＣＩＥＬＡＢの手順に従って決定されることができる。本発明の太陽電池システムのｄＥａｂの値は一般的に約１０より上であり、好適には約１２より上であり、さらに好適には約２０と１００の間である。もし１つより多い色が使用されると、一般的にはこれらの色の少なくとも１つがｄＥａｂ値のための上記の必要条件を満足させるだろう。
【００１５】
後段でさらに詳細に説明されるように、着色物質は太陽電池ユニットの上に施与される別の着色層の形を有してもよい。しかし、それはまた、太陽電池ユニットの非エネルギー生産部分の構造に取り込まれてもよい。同じことが、後段で論じられるカモフラージュ材料にも妥当する。
【００１６】
通例、活性な太陽電池の表面の一部はエネルギーを生産しないという事実には、２つの理由がありうる。すなわち直列接続の存在及び／又は集電グリッドの存在であるが、これは、本明細書においてバスバー（Ｂｕｓｂａｒ）もまた含む。両方の現象は本分野において十分に周知であるが、整理しておくために、以下に簡単に説明される。
【００１７】
太陽電池の最大電圧は入射光の強度及び電池の構成、特には半導体物質の性質により決められる。太陽電池の表面積が増加すると、より多くの電流が発生するが、電圧は同じままである。電圧を増加させるために、太陽電池ユニットは通常個々の電池に分割され、それらは次に直列に接続される。ウエハベースの太陽電池ユニットの場合には、これは電池を配線により接続することによりなされる。薄膜太陽電池ユニットの場合には、しばしばモノリシックな（ｍｏｎｏｌｉｔｈｉｃ：一体の）直列接続、即ち、個々の電池は共通のキャリアーにより接続されている直列接続が確立される。モノリシック直列接続は一般的に、異なる活性層に溝（ｇｒｏｏｖｅ）を施すこと及び、１つの電池の前面電極と他の電池の背面電極の間の導電性接触を確立することにより確立される。モノリシック直列接続の場合の直列接続の場所は通常、太陽電池ユニット上の細い線として目で見ることができる。薄膜太陽電池ユニットは背面電極、光起電層、及び前面電極がすべて存在し短絡（ショート）していない場所でのみエネルギーを生産するだろう。３つの層のうちの１つが、例えば直列接続のために欠けているサイト又は層がショートしているサイトでは、エネルギーは全く生産されない。
【００１８】
太陽電池ユニットからの集電を改善するために、太陽電池ユニットは、しばしばグリッドを装備されている。ウエハベースの太陽電池ユニットの場合、グリッドはＰＶ層の上に装備されている。薄膜太陽電池ユニットの場合、それは前面電極の上及び／又は、より普通ではないが、（半）透明の太陽電池ユニットを得るために背面電極が比較的伝導性の低いＴＣＯで作られているならば、背面電極の上に装備される。
【００１９】
グリッドは、電極で生産された電流キャリアー（電子又は「ホール」）の容易な放電を可能にするように施与されている導電性物質の線のパターンである。しばしばグリッドは印刷技術により施与され、一般的にそれは銀色又は黒色である。太陽電池ユニットの前面がグリッドで覆われているサイトでは、入射光は光起電層に到達せず、従って本質的に電流は発生されない。整理のために、エッジ効果の結果としてグリッドの下の太陽電池ユニットの一部はいくらかの電流を発生するかもしれないことを述べておく。本明細書の文脈の中においては、もし存在するならば、グリッド全体が、着色物質を施与されていてもよい太陽電池ユニットの非エネルギー生産部分に属すると考えられる。
【００２０】
ウエハベースの太陽電池ユニットの場合、太陽電池ユニットの一部はエネルギーを全く発生しないという事実は通常グリッドの存在に帰されるべきである。薄膜太陽電池ユニットの場合は、グリッドの存在及びモノリシック直列接続の存在の両方が、太陽電池ユニットの一部がエネルギーを全く生産しないことを保証することができる。
【００２１】
太陽電池ユニットのエネルギー生産部分の、好適には少なくとも５０％、より好適には少なくとも８５％、さらに好適には少なくとも９０％が（意図的に付与された）着色物質なしである。最も好適には、太陽電池ユニットのエネルギー生産部分は、本質的に着色物質なしの状態である。「本質的になし」という用語は本明細書の文脈内においては、太陽電池ユニットのエネルギー生産部分が、製造中において回避し得ない量以外には着色物質なしであることを意味する。
【発明の実施態様】
本発明の太陽電池ユニットは、多くの特定の実施態様を含む。
【００２２】
本発明の太陽電池の第一の実施態様は、背面電極と、グリッドを施与されたＰＶ層と、を含むウエハーベースの太陽電池ユニットであり、該グリッドの少なくとも一部は着色物質を施与されている。先に指摘されたように、ウエハーベースの太陽電池ユニットは一般的に、異なる電池を配線により接続することにより直列に接続される。原則としてこの配線に着色物質を施与することは可能であるが、通例、これは本発明の根底にある問題を解決することにほとんど寄与はしないだろう。なぜなら、一方で、配線はしばしば太陽電池ユニットの後ろに隠され、また他方では、ウエハーはしばしば非常に大きく、したがってたいへん広く間隔のあいた直列接続を与えるので、それらに着色物質を施与することは全体として太陽電池ユニットの色の印象にほとんど寄与しないであろうからである。もし所望するならば、配線は、後段で議論するように、カモフラージュ材料を施与されてもよい。
【００２３】
本発明の太陽電池ユニットの第ニの実施態様は、背面電極、ＰＶ層、及びＴＣＯで作られている前面電極を含む薄膜太陽電池ユニットであり、グリッドがＴＣＯ層上に装備されており、該グリッドの少なくとも一部は着色物質を施与されている。
【００２４】
本発明の太陽電池ユニットの第三の実施態様は、背面電極、ＰＶ層、及びＴＣＯで作られた前面電極を含む薄膜太陽電池ユニットであり、太陽電池ユニットにはモノリシックな直列接続が施与されており、直列接続の結果としてエネルギーを全く生産しない太陽電池ユニットの表面部分の少なくとも一部は着色物質を施与されている。
【００２５】
本発明の太陽電池ユニットの第四の実施態様は、上で議論された第二及び第三の実施態様の組合せであり、背面電極、ＰＶ層、及びＴＣＯで作られた前面電極を含む薄膜太陽電池ユニットであり、グリッドがＴＣＯ層上に装備されており、グリッドの少なくとも一部は着色物質を施与されており、該太陽電池ユニットはモノリシックな直列接続を施与されており、直列接続の結果としてエネルギーを全く生産しない太陽電池ユニットの部分の少なくとも一部は着色物質を施与されている。
【００２６】
本発明の太陽電池ユニットの第五の実施態様は、（半）透明薄膜太陽電池ユニットであり、背面電極は透明な導電性酸化物（ＴＣＯ）で構成されており、背面電極はグリッドを施与されており、該グリッドの少なくとも一部は着色物質を施与されている。グリッドは（半）透明な薄膜太陽電池ユニットのＴＣＯ前面電極上に存在してもよく、該グリッドは着色物質を少なくとも部分的に施与されていてもよい。該太陽電池ユニットはモノリシックな直列接続を施与されていてもよく、直列接続の結果としてエネルギーを全く生産しない太陽電池ユニットの部分の少なくとも一部は着色物質を施与されてもよい。その場合、着色物質は、太陽電池ユニットの片面又は両面に施与されてもよい。
【００２７】
太陽電池ユニットの非エネルギー生産部分のどのぐらいが着色物質で覆われるかは、目的とする効果、着色物質の色の強度、太陽電池ユニットの色の印象又は装飾の所望される強さ、エネルギーを生産しない太陽電池ユニットのパーセンテージ、及び太陽電池ユニットの表面における太陽電池ユニットの非エネルギー生産部分の分布に依存するだろう。
【００２８】
一般的に、後段で議論されるようなカモフラージュ材料が存在しないならば、太陽電池ユニットの非エネルギー生産部分の少なくとも２０％、好適には少なくとも５０％、さらに好適には少なくとも８０％は着色物質を施与されるだろう。
【００２９】
本発明の太陽電池ユニットの特定の実施態様は、太陽電池ユニットの非エネルギー生産部分の一部が着色物質を施与されており、該太陽電池ユニットの非エネルギー生産部分の他の部分がカモフラージュ材料を施与されている太陽電池ユニットである。カモフラージュ材料は、その色が太陽電池ユニットの色に適合するように選択される材料であり、そのようにして太陽電池ユニットの非エネルギー生産部分の一部をカモフラージュする。カモフラージュ材料のｄＥａｂは一般的に約５より低く、好適には約２より低く、さらに好適には約０．３より低い。着色物質とカモフラージュ材料の組合せの使用は太陽電池ユニットを均質な背景上の着色されたデザインで装飾することを可能にする。意図されるデザインの例は、パターン、文字、図形、縞、長方形及び正方形である。この実施態様において、一般的に太陽電池ユニットの非エネルギー生産部分の１０〜９０％は着色物質を施与される一方で、太陽電池ユニットの非エネルギー生産部分の９０〜１０％はカモフラージュ材料を施与される。本質的ではないが、本実施態様においては太陽電池ユニットの非エネルギー生産部分の実質的にすべてが着色物質か又はカモフラージュ材料のいずれかを施与される。
【００３０】
太陽電池ユニットに着色物質および、妥当する場合には、カモフラージュ材料を施与する種々の可能な方法は、当業者にとって明らかであろう。２つの一般的な方法が区別される。すなわち材料を個別の層として施与すること又はそれを太陽電池ユニットの非エネルギー生産部分の構造に取り込むことである。
【００３１】
もし材料が個別の層として施与されるべきであるならば、適切な方法は気化、又は印刷／書き込みを含む。好適には、この場合には着色物質及び、妥当する場合には、カモフラージュ材料は自体公知である印刷工程により施与される。適切な印刷工程はシルク捺染、インクジェット工程、等を含む。着色物質及び、妥当する場合にはカモフラージュ材料は、当業者に公知の適切な顔料及び染料を使用してなされることができる。
【００３２】
顔料又は染料を太陽電池ユニットの非エネルギー生産部分で使用される材料に取り込むこともまた可能である。これのより特定の実施態様は、グリッドの施与において使用される導電性ペースト及び／又はモノリシックな直列接続において使用される導電性又は絶縁ペーストに顔料又は染料を取り込むことである。このようにして、色又はカモフラージュの施与は、太陽電池ユニットの製造に非常に簡単に取り込まれることができる。しかし、顔料は一般的に非導電性なので、導電性ペーストの導電性はその中の顔料の存在に影響されるだろう。色又はカモフラージュの個別の層による施与は従って現在時点では好適である。
【００３３】
本発明は、バッチプロセスにより製造される太陽電池ユニット、例えば硬いガラスキャリアー上の太陽電池ユニットで使用されることができる。あるいは、本発明は、連続工程により製造される太陽電池ユニット、より特には、例えば国際特許出願公開９８／１３８８２号又は国際特許出願公開９９／４９４８３号に記載されているロールトゥロール工程で製造される柔軟性のある薄膜太陽電池ユニットで使用されることができ、これらの出版物は、柔軟性のある太陽電池ユニットを製造するための工程及び該ユニットにおいて使用される材料に関して、引用することにより本明細書に取り込まれる。
【００３４】
着色物質及び、妥当する場合には、カモフラージュ材料は、太陽電池ユニットに個別の生産工程において施与されることができるが、施与は太陽電池ユニットの製造に統合されることもまた可能である。着色物質及び、妥当する場合には、カモフラージュ材料が施与されるべき場所は正確な位置決定を要求するので、着色物質及び、妥当する場合には、カモフラージュ材料の施与を太陽電池ユニットの製造に統合することが一般的に好まれる。
【００３５】
モノリシックな直列接続が薄膜太陽電池ユニットの中に確立される方法は本発明にとって重要ではない。多くの適切な方法が当業者に公知である。即ち、まず前面電極、光起電層、及び背面電極をキャリアー上に含む完全な太陽電池ユニットを用意し、次に該素材を個々の電池に分割し、直列接続を確立することが可能である。あるいは、個々の電池に分割し直列接続を確立する種々のステップは太陽電池ユニットの製造に統合されることができる。即ち、まず背面電極をキャリアー上に装備し、背面電極を、例えばレーザーを用いて溝を施与することにより分割し、光起電層を施与し、溝又はホールの列を背面電極の溝に隣接して与えることにより該光起電層を分割し、前面電極を施与し、前面電極を例えばレーザーを用いて光起電層の区画に隣接して溝へと分割することが可能である。あるいは分割はマスクを用いながら或る層を施与することにより行われることができる。
【００３６】
上に示されたように、太陽電池ユニットは背面電極、光起電層、及び前面電極を含み、高い頻度でキャリアーも又含む。キャリアー、背面電極、光起電層、及び前面電極の性質は本発明にとって重要ではない。以下の記載は単に説明の目的のために供するものである。
【００３７】
キャリアーは、もし存在するならば、いかなる公知のキャリアーでもよい。キャリアーが前面電極側に存在するとき、それは太陽スペクトルの関連する部分に対して透明であるべきである。キャリアーは例えば、ガラス、又は透明なポリマーで作られていてもよい。キャリアーが背面電極側に据えられているときは、それは透明であってもなくてもよく、太陽電池ユニットの予想される用途による。適切な材料は、硬い材料例えばガラス、及びロールトゥロール工程での使用に適切である柔軟性のある材料例えばポリマーフィルム又は金属ホイルを含む。
【００３８】
前面電極は一般的に、透明な導電性酸化物（ＴＣＯ）であろう。適切なＴＣＯはインジウムスズ酸化物、酸化亜鉛、アルミニウム、フッ素、又はホウ素でドープされた酸化亜鉛、硫化カドミウム、酸化カドミウム、酸化スズ、及びＦでドープされたＳｎＯ２である。
【００３９】
光起電層は、当業者に公知のすべての適切な系、例えばアモルファスシリコン（ａ−Ｓｉ：Ｈ）、微結晶シリコン、多結晶シリコン、アモルファスシリコンカーバイド（ａ−ＳｉＣ）及びａ−ＳｉＣ：Ｈ、アモルファスシリコンゲルマニウム（ａ−ＳｉＧｅ）及びａ−ＳｉＧｅ：Ｈ、ａ−ＳｉＳｎ：Ｈ、ＣＩＳ（銅インジウムジセレナイド、ＣｕＩｎＳｅ２）、カドミウムテルライド、Ｃｕ（Ｉｎ，Ｇａ）Ｓｅ、ＺｎＳｅ／ＣＩＳ、ＺｎＯ／ＣＩＳ、Ｍｏ／ＣＩＳ／ＣｄＳ／ＺｎＯ及び色素増感電池を含んでもよい。また前述された材料の多接合電池も使用されてもよい。
【００４０】
背面電極は太陽電池ユニットの用途により反射板としても役に立ち、例えばアルミニウム、銀、モリブデン又はそれらの組合せから構成されてもよく、随意的に誘電物質例えばＺｎＯの中間層を金属層と光活性半導体の間に有していてもよい。（半）透明太陽電池ユニットにおいては、前面電極のために記載されたＴＣＯが背面電極において使用される。
【００４１】
もしそのように所望されるなら、太陽電池ユニットは、追加の公知のコンポーネント例えばユニットを環境効果から保護するための封止剤を含んでもよい。
【国際公開パンフレット】
2004508729.tif 000002
2004508729.tif 000003
2004508729.tif 000004
2004508729.tif 000005
2004508729.tif 000006
2004508729.tif 000007
2004508729.tif 000008
2004508729.tif 000009
2004508729.tif 000010
2004508729.tif 000011
2004508729.tif 000012
2004508729.tif 000013
2004508729.tif 000014
2004508729.tif 000015
2004508729.tif 000016
【国際調査報告】
2004508729.tif 000017
2004508729.tif 000018
2004508729.tif 000019